(57)【要約】      （修正有）【課題】支柱の基端部が雨水によって腐食するのを防止し、且つ、外観性を向上させると共に、耐用性に優れた支柱用カバーを提供する。【解決手段】支柱の基端部に装着される保護カバー１は、上部水平部Ｕに支柱を囲む大きさの開口部が形成され、下部水平部Ｔが開放された載頭錘体形状の周壁を持つカバー本体３と、カバー本体３の内側に下方に向けて延設した内カバー4と、周壁の内側から突設される複数の補強リブ５からなる。【選択図】図２
0003157331.tif 000002
【実用新案登録請求の範囲】
【請求項１】
支柱の基端部に装着される保護カバーであって、上部水平部に支柱を囲む大きさの開口部が形成され、下部水平部が開放された載頭錘体形状の周壁を持つカバー本体と、前記カバー本体の周壁の内側の前記開口部よりも後退した位置から下方に向けて前記下部水平部と同じ高さまで延設され前記開口部より挿入される支柱を無端状に包囲する内カバーと、前記カバー本体の周壁の内側と内カバーに連結して前記下部水平部と同じ高さまで突設される複数の補強リブとからなることを特徴とする支柱用カバー。
【請求項２】
前記補強リブは略三角形状に形成され、前記開口部を中心として前記内カバーと前記周壁とで形成された内部空間を等角度に分割していることを特徴とする請求項１に記載の支柱用カバー。
【考案の詳細な説明】
【技術分野】
【０００１】
本考案は、支柱の基端部に装着される保護カバーに関し、特に、地表面に立設された支柱基端部の腐食を防止し、且つ、支柱基端部の周囲において、むき出しになっているモルタルや砂をカバーすることによって、優れた美観が得られる、支柱用カバーに関するものである。
【背景技術】
【０００２】
従来より、防護柵、手摺、標識柱等の支柱の基端部を覆う部材として支柱用カバーが知られている。例えば、特許文献１には、上部水平部に支柱の挿入口を有し載頭円錐形状に形成された支柱用カバーが開示されている。また、特許文献２には、縦分割面に沿って平面形状矩形の環状体を二分した雄雌両カバーからなり、取り付けた支柱をその両側から挟み込み、基端部を被覆した状態で雄雌カバーを結合してなる支柱用カバーが開示されている。
【先行技術文献】
【特許文献】
【０００３】
【特許文献１】特開平９−１１１７２７号公報
【特許文献２】実用新案登録第２５１２７８１号公報
【考案の概要】
【考案が解決しようとする課題】
【０００４】
しかしながら、上記特許文献１に記載された支柱用カバーにあっては、該カバーを取り付けた際に支柱との隙間からカバーの内方に雨水が浸透し、支柱の基端部を腐食させてしまうことがあり、それを回避するために、別途、挿入口の内面にゴム製等のパッキンが設けられていた。また、このカバーは、地表面との間が中空状態になされていることから、外力による変形や破損は否めず、外観上の問題だけではなく安全性の点からも支柱用カバーの取り替えを余儀なくされていた。
【０００５】
これに対し、特許文献２に記載された支柱用カバーは、カバー上壁と支柱の間にコーキングを施すことができるので、当該隙間からの雨水の浸透を阻止することはできるが、上記特許文献１の場合と同様、カバー本体の強度を向上させるには至っていない。
【０００６】
上記した不具合に鑑みて、本考案は、支柱の基端部が雨水によって腐食するのを防止し、且つ、外観性を向上させると共に、耐用性に優れた支柱用カバーを提供することを目的としている。
【課題を解決するための手段】
【０００７】
上記目的を達成するために、本考案における支柱用カバーは、支柱の基端部に装着される保護カバーであって、上部水平部に支柱を囲む大きさの開口部が形成され、下部水平部が開放された載頭錘体形状の周壁を持つカバー本体と、前記カバー本体の周壁の内側の前記開口部よりも後退した位置から下方に向けて前記下部水平部と同じ高さまで延設され前記開口部より挿入される支柱を無端状に包囲する内カバーと、前記カバー本体の周壁の内側と内カバーに連結して前記下部水平部と同じ高さまで突設される複数の補強リブとからなることを特徴とするものである。
【０００８】
本考案ではさらに、前記補強リブは略三角形状に形成され、前記開口部を中心として前記内カバーと前記周壁とで形成された内部空間を等角度に分割することもできる。
【考案の効果】
【０００９】
本考案によれば、支柱の基端部が雨水よって腐食することを防止でき、且つ、支柱の基端部の周囲において、むき出しになっているモルタルや砂をカバーすることによって、外観性を損なわず、更には、車輌の乗り上げや重量物等の外力による変形や破損を阻止して耐用性に優れるといった有用な効果がもたらされる。
【図面の簡単な説明】
【００１０】
【図１】本考案の一実施例を示す斜視図である。
【図２】本考案の一実施例の縦断面図である。
【図３】本考案の一実施例の底面図である。
【図４】本考案の一実施例の使用例を示す図である。
【図５】本考案の一実施例の使用状態を示す要部縦断面図である。
【図６】本考案の他の実施例を示す斜視図である。
【図７】本考案の他の実施例を示す底面図である。
【考案を実施するための形態】
【００１１】
次に、本考案の支柱用カバーの一実施例を、図面を参照しながら説明する。
【００１２】
図１に示す通り、本実施例の支柱用カバー１は、上部水平部Ｕに、支柱を囲む大きさの開口部２が形成され、下部水平部Ｔが開放された載頭円錐形状の周壁３ａを持つカバー本体３からなり、アルミニウムや鋼材等の金属製或いは半硬質や硬質の合成樹脂製の成形体である。開口部２は、挿入される支柱の外形に応じて任意に設計されるが、その形状は、一般的なもので円形、矩形に形成されている。開口部２の内径は、挿入される支柱の外径よりも少し大きい寸法を有し、支柱に取り付けた際に支柱との間に若干の隙間を生じるものが好ましい。
【００１３】
図２は支柱用カバー１の縦断面図であって、カバー１内方の形態を示す。内カバー４は、カバー本体３の周壁３ａの内側から下方に向けて、周壁３ａの下部水平部Ｔの高さまで、延設されており、開口部２から挿入される支柱の基端部を無端状に包囲する壁となっている。内カバー４の開放端４ａは、カバー１を支柱に装着した際、カバー本体３の外縁３ｂと共に地表面に立設される。また、内カバー４の内径Ｄ１は開口部２の内径Ｄ２よりも大きい。  これにより、支柱用カバーは地表面に対し安定的に定着される。
【００１４】
図３に示すように、支柱用カバー１の内方には、カバー本体３を補強するための補強リブ５が設けられている。この補強リブ５は、略三角形状に形成して、内カバー４とカバー本体３の周壁３ａを連結し、且つ周壁３ａの下部水平部Ｔの高さまで延設されて、残りの一辺が地表面に立設されるように設けられる。この場合、多数個の補強リブ５を設ける方が補強効果は大きくなるが、本十例においては、開口部2を中心として内カバー４と周壁３ａとの内部空間を等角度に分割するように４本の補強リブ５を設けた。カバー本体３は内カバー４と補強リブ５によって安定的に地表面に立設され、外力による変形・破損から保護される。
【００１５】
図４及び図５は、支柱用カバー１の使用状態を示す。該図に示す通り、開口部２からコーキング材Ｃを内カバー４内に充填して支柱Ｐを装着する。内カバー４の内径Ｄ１は開口部２の内径Ｄ２よりも大きい。従って、内カバー４は、開口部２よりも後退した位置で支柱Ｐを包囲する。この後退した空間に、多くの量コーキング材Ｃが充填されることにより、支柱Ｐの基端部が雨水よって腐食することを防止することができる。一方、開口部２の内径は、挿入される支柱Ｐの外径よりも少し大きい寸法であるので、内カバーにコーキング材Ｃが充填されていることを外部からは容易に視認できず、美観を損ねない。また、内カバー４の開放端４ａは、カバー１を支柱に装着した際、カバー本体３の外縁３ｂと共に地表面に立設される。従って、内カバー４内に必要以上のコーキング材Ｃが充填されて開放端４ａから溢れても、外縁３ｂまでは到達しないため、外縁３ｂからコーキング材が漏れることが無く、美観を損ねることは無い。尚、断面円形状の支柱Ｐは、一般に外径５０．８ｍｍ或いは６０．５ｍｍのものが存在するが、この場合開口部２の内径Ｄ２は５４ｍｍ或いは６４ｍｍ、内カバーの内径Ｄ２は６０ｍｍ、７０ｍｍである。また、カバー本体３のカバー本体３の外縁３ｂの外径は、１３０ｍｍ（支柱Ｐの外径によらず）であり、開放端４ａとカバー本体３の外縁３ｂとの間に空間が開くような外径とされれば良い。尚、カバー本体３の周壁３ａ、内カバー４、補強リブ５の壁厚は３ｍｍである。
【００１６】
図６は、本考案の他の実施例を示し、支柱用カバー１１が内カバー１４及び補強リブ１５を介して結合可能に二分割されている。この場合、支柱を取り付けた後にも支柱用カバーを装着することができる。また、結合手段は特に制限されるものではなく、例えば、図に示すようにボルトＢを用いることができる。
【００１７】
図７は、本考案の他の実施例を示し、支柱用カバー２１は、カバー本体２３が載頭四角錐形状に形成されている。補強リブ２５はカバー本体２３の外縁２３ｂを構成する４辺の各中央に設けることにより、安定した状態で効率よくカバー本体を支持するものとなる。
【符号の説明】
【００１８】
１、１１、２１      支柱用カバー  
２      開口部
３、２３      カバー本体
４      内カバー
５、１５、２５      補強リブ
Ｐ      支柱
Ｃ      コーキング材
【図１】
0003157331.tif 000003
【図２】
0003157331.tif 000004
【図３】
0003157331.tif 000005
【図４】
0003157331.tif 000006
【図５】
0003157331.tif 000007
【図６】
0003157331.tif 000008
【図７】
0003157331.tif 000009